(57)【特許請求の範囲】
【請求項１】
液晶層の一方の側から見ることができる表示と、反対側から見ることができる表示との両方を行うことができる透過型の液晶表示装置と、
該液晶表示装置を支持する、該液晶表示装置の表示面を外部に露出させる表示窓が該液晶表示装置の両側にそれぞれ開口されたケースと、
前記各表示窓の一方を覆う位置と他方を覆う位置とに動かすことができ、前記各表示窓を覆う位置に配置した時に前記表示面に対面する部分に光反射面が形成された反射蓋と、
一端が前記ケースに固定され、他端に前記反射蓋が結合された蓋ヒンジ部と、を有し、
前記反射蓋は、前記蓋ヒンジ部を介して回動させることができ、それによって前記各表示窓を覆う位置に動かすことができ、かつ、
前記液晶表示装置の動作を制御する表示制御手段と、前記反射蓋が前記表示窓のどちらを覆う位置にあるかを検出する反射蓋位置検出手段をさらに有し、
前記表示制御手段は、前記反射蓋位置検出手段の検出信号に応じて、前記液晶表示装置に、前記反射蓋が覆う前記表示窓と反対側の前記表示窓から見て認識可能な表示をさせる、
携帯電話機。
【請求項２】
前記液晶表示装置を支持するケースにヒンジユニットを介して接続されたケースをさらに有し、
２つの前記ケースが前記ヒンジユニットを挟んで互いに反対側に位置する開いた状態と、２つの前記ケースが、前記表示窓の一方を内側にして重なり合う折り畳んだ状態とにすることができる、
請求項１に記載の携帯電話機。
【請求項３】
開いた状態にあるか折り畳んだ状態にあるかを検出する開閉検出手段とをさらに有し、
前記表示制御手段は、前記反射蓋位置検出手段と前記開閉検出手段との検出信号に応じて、折り畳んだ状態にあり、かつ前記反射蓋が折り畳んだ時に内側に位置する表示窓とは反対側の表示窓を覆う位置にある場合には前記液晶表示装置の表示を停止させ、それ以外の場合には、前記液晶表示装置に、前記反射蓋が覆う前記表示窓と反対側の前記表示窓から認識可能な表示をさせる、
請求項２に記載の携帯電話機。
【請求項４】
前記液晶表示装置は、前記各表示面側にそれぞれ配置された照明を有する、請求項１から３のいずれか１項に記載の携帯電話機。
【発明の詳細な説明】
【０００１】
【発明の属する技術分野】
本発明は携帯電話機に関し、特に、情報を表示するＬＣＤ（液晶表示装置）を備え、折り畳んでコンパクトな形態にすることができる折畳式携帯電話機に関する。
【０００２】
【従来の技術】
一般の携帯電話機は、情報表示用の表示装置として、軽量でコンパクトに構成できるＬＣＤを備えている。そして、携帯に便利なようにコンパクトに折り畳むことができ、通話時などには開いて用いる形態のものが多く普及している。このような折畳式携帯電話機では、通常、ＬＣＤ表示部は、開いた状態で見ることができ、折り畳んだ状態では内側に位置するように配置されている。
【０００３】
【発明が解決しようとする課題】
上述のような従来の折畳式携帯電話機は、通常、折り畳んだ状態で持ち運ばれ、このように持ち運んでいる時には、一度開かない限りは、ＬＣＤに表示される情報を見ることはできない。
【０００４】
しかしながら、近年、携帯電話機には、着信時に送信者の情報を表示するなどの機能が備わっており、直ぐに通話などの操作をせずに送信者を確認するなど、ＬＣＤ表示の確認だけをする場合がある。上述のような折畳式携帯電話機では、このような場合にも、ＬＣＤ表示を見るために折畳式携帯電話機を開く必要がある。
【０００５】
これに対して、折り畳んだ時に内側に位置する、通常使用するＬＣＤの他に、折り畳んだ時に外側に位置する別のＬＣＤが実装された構成の折畳式携帯電話機が販売されている。しかし、このように複数のＬＣＤを実装した折畳式携帯電話機には、部品コストが上昇してしまう、携帯電話機の質量が増加してしまう、消費電流が増加し連続使用時間が短くなってしまうなどの欠点がある。
【０００６】
本発明の目的は、上述のような従来の携帯電話機における問題を解決するために、両側からＬＣＤの表示内容を確認することができる携帯電話機を、特に、開いた状態でも折り畳んだ状態でもＬＣＤの表示内容を確認することができる折畳式携帯電話機を、部品点数や質量や消費電力を大きく増加させることなく提供することにある。
【０００７】
【課題を解決するための手段】
上述の目的を達成するため、本発明による携帯電話機は、液晶層の一方の側から見ることができる表示と、反対側から見ることができる表示との両方を行うことができる透過型の液晶表示装置と、該液晶表示装置を支持する、該液晶表示装置の表示面を外部に露出させる表示窓が液晶層の両側にそれぞれ開口されたケースと、各表示窓の一方を覆う位置と他方を覆う位置とに動かすことができ、各表示窓を覆う位置に配置した時に表示面に対面する部分に光反射面が形成された反射蓋と、一端がケースに固定され、他端に反射蓋が結合された蓋ヒンジ部と、を有し、反射蓋は、蓋ヒンジ部を介して回動させることができ、それによって各表示窓を覆う位置に動かすことができ、かつ、液晶表示装置の動作を制御する表示制御手段と、反射蓋が表示窓のどちらを覆う位置にあるかを検出する反射蓋位置検出手段をさらに有し、表示制御手段は、反射蓋位置検出手段の検出信号に応じて、液晶表示装置に、反射蓋が覆う表示窓と反対側の表示窓から見て認識可能な表示をさせることを特徴とする。この構成によれば、１つの液晶表示装置を用いて、したがって部品点数や質量や消費電力を大きく増加させることなく、携帯電話機の両側から液晶表示を確認可能にできる。
【０００９】
また、反射蓋を設けることによって、液晶表示の視認性を高めることができる。
【００１１】
反射蓋を設けた場合、反射蓋が覆う側とは反対側の表示窓から液晶表示を見ることになる。したがって、液晶表示装置の表示制御手段は、反射蓋が表示窓のどちらを覆う位置にあるかを検出する反射蓋位置検出手段の検出信号に応じて、液晶表示装置に、反射蓋が覆う表示窓と反対側の表示窓から見て認識可能な表示をさせる構成とすることで、反転していない良好に認識可能な表示を行うことができる。
【００１２】
本発明は、特に、液晶表示装置を支持するケースにヒンジユニットを介して接続されたケースをさらに有し、２つのケースがヒンジユニットを挟んで互いに反対側に位置する開いた状態と、２つのケースが、表示窓の一方を内側にして重なり合う折り畳んだ状態とにすることができる折畳式携帯電話機に好適に適用可能である。すなわち、このような折畳式携帯電話機に本発明を適用することによって、携帯電話機を折り畳んだ状態でも、内側になった表示窓とは反対側の表示窓から液晶表示を確認可能にできる。
【００１３】
本発明を上述のような折畳式携帯電話機に適用する場合、液晶表示装置の表示制御手段は、反射蓋位置検出手段と、携帯電話機が開いた状態にあるか折り畳んだ状態にあるかを検出する開閉検出手段との検出信号に応じて、携帯電話機が折り畳んだ状態にあり、かつ反射蓋が折り畳んだ時に内側に位置する表示窓とは反対側の表示窓を覆う位置にある場合には液晶表示装置の表示を停止させる構成とすることが好ましい。これによって、消費電力の浪費を避けることができる。
【００１４】
【発明の実施の形態】
以下、図面を参照して本発明の実施形態について説明する。
【００１５】
まず、図１〜４を参照して、本実施形態の携帯電話機の全体構成について説明する。図１は、この携帯電話機の外観斜視図であり、図１（ａ）は開いた状態、図１（ｂ）は閉じた状態を示している。図２〜４は、受話部Ａの模式的断面図であり、図２，３は縦方向に切断した断面図、図４は横方向に切断した断面図である、図３，４は、反射蓋２３によって裏面表示窓１８を覆った状態を示している。
【００１６】
この折畳式携帯電話機は、ＬＣＤ表示機構や受話機構を有する受話部Ａと、キー操作入力機構や送話機構を有する送話部Ｂとに大きく分けられる。受話部Ａは受話部フロントケース１５と受話部リアケース１６とによって覆われ、送話部Ｂは送話部フロントケース１１と送話部リアケース１２とによって覆われている。
【００１７】
受話部Ａと送話部Ｂとは、ヒンジユニット２２を介して接続されている。これによって、この折畳式携帯電話機は、図１（ａ）に示すように、受話部Ａと送話部Ｂとがヒンジユニット２２を挟んで互いに反対側に位置する開いた状態と、図１（ｂ）に示すように、受話部Ａと送話部Ｂとが重なり合う折り畳んだ状態とにすることができる。折り畳んだ状態では、受話部Ａでは受話部フロントケース１５側、送話部Ｂでは送話部フロントケース１１側が内側に位置している。
【００１８】
受話部Ａ内には、電波を送受信するアンテナ部ｂ１、受話音などを出力するスピーカーｂ５（図７参照）、情報を表示するＬＣＤ１９、これらに接続された回路などが実装された基板２４などが設けられている。受話部フロントケース１５には、スピーカーｂ５から出力される音を伝えやすくする受話音穴２０と、表示部ｂ１２（図７参照）を構成するＬＣＤ１９を露出させる正面表示窓１７が開口している。受話部リアケース１６には、同様に、ＬＣＤ１９を露出させる裏面表示窓１８が開口しており、正面表示窓１７と裏面表示窓１８とはＬＣＤ１９を挟んで互いに反対側に開口している。
【００１９】
受話部Ａには、正面表示窓１７と裏面表示窓１８を覆うことができる大きさの板状の反射蓋２３が取り付けられている。反射蓋２３は、図４に示すように、受話部フロントケース１５と受話部リアケース１６との間に挟まれて固定されている蓋固定部材２３−１に一端が接続された、柔軟性のある材料からなる蓋ヒンジ部２３−２を介して受話部Ａに取り付けられている。これによって、反射蓋２３は、図３，４に示すように、裏面表示窓１８を覆う位置と、反対側の正面表示窓１９を覆う位置とに回動させることができる。
【００２０】
蓋固定部材２３−１は、例えば剛性の高いプラスチック材料などから形成され、蓋ヒンジ部２３−２は、例えば柔軟性の高いエラストマー材料などから形成されている。反射蓋２３には、その両面に、光の反射を高める処理を施された光反射面２３−Ｆ，２３−Ｒが形成されている。この処理は、例えば、高反射白色塗装や、高反射メッキなどによって行うことができる。
【００２１】
送話部Ｂ内には、マイクｂ４（図７参照）、キー操作入力部ｂ１０（図７参照）などが設けられている。送話部フロントケース１１には、マイクｂ４に音が伝わりやすくする送話音穴２１が開口されており、また、電話番号などの情報や折畳式携帯電話機への指令などを入力するためのキーボード１３が設けられている。送話部リアケース１２側には、着脱可能な電源１４が装着されている。
【００２２】
次に、図５を参照して、ＬＣＤ１９の構成について説明する。図５は、ＬＣＤ１９の模式的断面図である。この折畳式携帯電話機に搭載されたＬＣＤ１９は、全透過型ＬＣＤである。このＬＣＤ１９には、液晶層１９−１が中央に配置され、それをサンドイッチする形で、両面に配向膜１９−２Ｆ，１９−２Ｒ、その外側に透明電極１９−３Ｆ、１９−３Ｒ、さらにその外側にガラス基板１９−４Ｆ，１９−４Ｒ、さらにその外側に偏光フィルタ１９−５Ｆ，１９−５Ｒが配置されている。
【００２３】
このＬＣＤ１９には、透明電極１９−３Ｆ，１９−３Ｒに電圧を選択的に印加すした際の液晶層１９−１の透過率の変化を利用して、透過する光にパターンを持たせ、表示動作をさせることができる。液晶層１９−１は、裏面側から正面側に透過する光にも、正面側から裏面側に透過する光にもパターンを持たせることができる。したがって、このＬＣＤ１９は、正面側からも裏面側からも表示を見ることができる。
【００２４】
正面側から表示を見る場合には、反射蓋２３によって裏面表示窓１８を覆ってＬＣＤ１９の裏面側に光反射面２３−Ｆが位置するようにし、裏面側から表示を見る場合には、ＬＣＤ１９の正面側に光反射面２３−Ｒが位置するようにする。すなわち、正面側から表示を見る場合について説明すると、外部から入射した光は、ＬＣＤ１９を透過して反射蓋２３の光反射面２３−Ｆで反射され、再びＬＣＤ１９を透過して目に入る。このような反射蓋２３を用いることによって、視認性を高めることができる。
【００２５】
また、このＬＣＤ１９には、必要に応じて照明を設けてもよい。照明を設けたＬＣＤの構成例を図６に示す。この構成では、ＬＣＤには、両面側にそれぞれフロントライト照明１９−６Ｆ，１９−６Ｒが設けられている。各フロントライト照明１９−６Ｆ，１９−６Ｒは、光源１９−６Ｆ１，１９−６Ｒ１と、それからの光を全面に均一に導く導光部１９−６Ｆ２，１９−６Ｒ２を有している。
【００２６】
この構成で、正面側から表示を見る際には、正面側のフロントライト照明１９−６Ｆが点灯され、裏面側から表示を見る際には、裏面側のフロントライト照明１９−６Ｒが点灯される。すなわち、正面側から表示を見る場合について説明すると、フロントライト照明１９−６Ｆから発せられた光は、ＬＣＤ１９と、反対側のフロントライト照明１９−６Ｒとを透過して反射蓋２３の光反射面２３−Ｆで反射され、再びフロントライト照明１９−６Ｒ、ＬＣＤ１９、フロントライト照明１９−６Ｆを透過して目に入る。
【００２７】
次に、図７に示すブロック図を参照して本実施形態の折畳式携帯電話機の内部構成について説明する。
【００２８】
無線部ｂ２は、電波を送受信するアンテナ部ｂ１に接続されており、受信した信号を必要に応じて内部処理用の信号に変換し、また内部の信号を送信用の出力信号に変換する。音声処理部ｂ３は、送話音などを入力するマイクｂ４と受話音などを出力するスピーカーｂ５に接続されており、音声入出力処理を行う。無線部ｂ２と音声処理部ｂ３は直接接続されており、通常の送受話を行う場合などに、必要に応じて直接信号がやりとりされる。
【００２９】
報知部ｂ７は、ブザーｂ８とＶＩＢモータｂ９に接続されており、ブザーｂ８からの音出力またはＶＩＢモータｂ９による振動によって、着信などをユーザーに知らせる処理を行う。データ管理部ｂ１５は、電話番号や氏名などの情報を格納するメモリー部ｂ１６に接続されており、これらの情報の入出力、編集などの処理を行う。表示制御部ｂ１１は、表示部ｂ１２に接続されており、ＬＣＤ１９に表示信号を出力する。
【００３０】
制御部ｂ６は、無線部ｂ２、音声処理部ｂ３、報知部ｂ７、データ管理部ｂ７、表示制御部ｂ１１の各部に接続されており、各部の動作を制御する。また、制御部ｂ５には、キー操作入力部ｂ１０が接続されており、ユーザーがキーボード１３を操作して制御部ｂ６に指令や情報などを入力することができるようになっている。
【００３１】
また、本実施形態では、表示制御部ｂ１１には、反射蓋２３が正面側に配置されているか裏面側に配置されているかを検出する反射蓋位置検出部ｂ１３と、折畳式携帯電話機が開かれているか折り畳まれているかを検出する開閉検出部ｂ１４が接続されている。表示制御部ｂ１１は、これらの検出信号に応じて、ＬＣＤ１９に、正面から正常に視認できる正面表示、裏面から正常に視認できる裏面表示をさせ、またはＬＣＤ１９の表示を停止させる動作切り替えを行う。
【００３２】
本実施形態では、反射蓋２３が正面位置にある場合、折畳式携帯電話機が開状態であっても閉状態あっても、表示制御部ｂ１１は裏面表示動作を行う。反射蓋２３が裏面位置にある場合、表示制御部ｂ１１は、折畳式携帯電話機が開状態である場合には正面表示動作を行い、閉状態である場合には表示を停止させる。
【００３３】
反射蓋２３を裏面位置に配置し、折畳式携帯電話機を折り畳んだ状態では、正面側からも裏面側からもＬＣＤ１９の表示を確認することはできない。そこで、この状態でＬＣＤ１９の表示を停止することによって、電力の浪費を避けている。ＬＣＤ１９の表示を確認する必要が無い場合にはこのような状態にされ、それによって、ＬＣＤ１９に外力が加わるのを防ぎ、ＬＣＤ１９に悪影響が生じるのを防止できる。
【００３４】
次に、この折畳式携帯電話機の動作について、着信動作を例にとって説明する。
【００３５】
基地局からの電波をアンテナ部ｂ１によって受信すると、受信した信号は無線部ｂ２を介して制御部ｂ６に送られる。すると制御部ｂ６は、ユーザーの選択したモードなどに応じて、ブザーｂ８から着信音を出力させ、または／およびＶＩＢモータｂ９によって折畳式携帯電話機を振動させ、または／およびＬＣＤ１９に着信電話番号などの情報を表示させる。この際、携帯電話機を折り畳んだ状態で持ち運んでいたとしても、反射蓋２３を正面側に配置した状態にしていれば、ユーザーは携帯型電話機を直接操作しなくても、裏面表示窓１８から着信情報を確認することができる。
【００３６】
通話の必要がある場合は、折畳式携帯電話機を開き、必要に応じてキーボード１３を操作して通話する。受信した音声信号は、無線部ｂ２、音声処理部ｂ３を介してスピーカーｂ５から出力される。ユーザー側からの音声は、マイクｂ４によって拾われ、音声処理部ｂ３，無線部ｂ２を介して、アンテナ部ｂ１から基地局に送信される。
【００３７】
また、この折畳式携帯電話機では、必要に応じて、送信者の電話番号や氏名などを、ＬＣＤ１９の表示を確認しつつ、キーボード１３から入力して、メモリー部ｂ１６に格納したり、メモリ部ｂ１６に格納された情報を呼び出してＬＣＤ１９に表示したり、呼び出した情報から選択した相手に送信を行ったりすることができる。
【００３８】
以上説明した本実施形態の折畳式形態電話では、ＬＣＤ１９に表示される情報を正面側、裏面側のどちらからでも見ることができる。従来技術では、このような両面表示のために、各面にそれぞれＬＣＤを設けており、したがって、裏面表示用のＬＣＤやそれを駆動する電気部品などを組み込み必要があった。これに対して、本実施形態では、両面表示が可能な構成を、１つのＬＣＤ１９と、正面表示窓１７を覆う位置と裏面表示窓１８を覆う位置とに動かすことができる反射蓋２３とによって実現している。したがって、部品点数をほとんど増やすことなく両面表示を可能にでき、部材コストや製造組立コストを低減できる。また、折畳式携帯電話機の重量もほとんど重くしなくて済み、ＬＣＤ表示機構が組み込まれた受話部Ａの厚みもほとんど厚くしなくて済む。また、１つのＬＣＤ１９のみを動作させるので、消費電力もほとんど増加しない。
【００３９】
また、従来、両面表示可能な携帯電話機では、通常、裏面表示用のＬＣＤは、部材コストなどを考慮して小さなものが使用され、このため、正面表示に比べて表示内容が制限されていた。これに対し、本実施形態の折畳式携帯電話機では、裏面表示にも正面表示と同じＬＣＤ１９を使用しており、裏面からも大きなＬＣＤ１９の表示を見ることができ、正面表示と同様の多くの情報を裏面表示させることができる。
【００４０】
【発明の効果】
以上説明したように、本発明によれば、１つのＬＣＤと、その両面に設けた表示窓の一方を覆う位置と他方を覆う位置とに動かすことができる反射蓋とを設けることによって、ＬＣＤの表示を両面から見れるようにし、それによって、開いた状態でも折り畳んだ状態でもＬＣＤの表示内容を確認することができる折畳式携帯電話機を提供できる。
【００４１】
本発明によれば、１つのＬＣＤを用いて両面表示を可能にしているため、両面表示のために、折畳式携帯電話機の部品点数や質量や消費電力をほとんど増加させることはない。したがって、安価で軽量でコンパクトで低消費電力の、両面表示可能な折畳式携帯電話機を提供できる。
【図面の簡単な説明】
【図１】本発明の実施形態の折畳式携帯電話機の模式的な外観斜視図であり、図１（ａ）は開いた状態、図１（ｂ）は閉じた状態を示している。
【図２】図１の折畳式携帯電話機の受話部を縦に切断した模式的断面図である。
【図３】図１の折畳式携帯電話機の受話部を縦に切断した模式的断面図であり、反射蓋を裏面側に配置した状態を示している。
【図４】図１の折畳式携帯電話機の受話部を横に切断した模式的断面図である。
【図５】図１の折畳式携帯電話機のＬＣＤの模式的断面図である。
【図６】他の構成のＬＣＤの模式的断面図である。
【図７】図１の折畳式携帯電話機の内部構成を示すブロック図である。
【符号の説明】
１１    送話部フロントケース
１２    送話部リアケース
１３    キーボード
１４    電源
１５    受話部フロントケース
１６    受話部リアケース
１７    正面表示窓
１８    裏面表示窓
１９    ＬＣＤ
１９−１    液晶層
１９−２Ｆ，１９−２Ｒ    配向膜
１９−３Ｆ，１９−３Ｒ    透明電極
１９−４Ｆ，１９−４Ｒ    ガラス基板
１９−５Ｆ，１９−５Ｒ    偏光フィルタ
１９−６Ｆ，１９−６Ｒ    フロントライト照明
１９−６Ｆ１，１９−６Ｒ１    光源
１９−６Ｆ２，１９−６Ｒ２    導光部
２０    受話音穴
２１    送話音穴
２２    ヒンジユニット
２３    反射蓋
２３−１    蓋固定部
２３−２    蓋ヒンジ部
２３−Ｆ，２３−Ｒ    光反射面
２４    基板
Ａ    受話部
Ｂ    送話部
ｂ１    アンテナ部
ｂ２    無線部
ｂ３    音声処理部
ｂ４    マイク
ｂ５    スピーカー
ｂ６    制御部
ｂ７    報知部
ｂ８    ブザー
ｂ９    ＶＩＢモータ
ｂ１０    キー操作入力部
ｂ１１    表示制御部
ｂ１２    表示部
ｂ１３    反射蓋位置検出部
ｂ１４    開閉検出部
ｂ１５    データ管理部
ｂ１６    メモリー部
【図１】
0003645838.tif 000002
【図２】
0003645838.tif 000003
【図３】
0003645838.tif 000004
【図４】
0003645838.tif 000005
【図５】
0003645838.tif 000006
【図６】
0003645838.tif 000007
【図７】
0003645838.tif 000008